(57)【要約】【課題】小型化、スリム化したディスクプレーヤーに適用できるディスクローディング装置を提供する。【解決手段】このディスクローディング装置は、第１ガイドレバー、第２ガイドレバー、トリガーレバー、チャッキングユニット、スライダ、コネクティングユニットを備え、 コネクティングユニットは、第１ディスクまたは第２ディスクがローディングされる場合に第２ガイドレバーと選択的に連動し、トリガーレバーの回転力がスライダに伝達されるタイミングを変化させる構成とした。【選択図】図１
2010157309.tif 000002
【特許請求の範囲】
【請求項１】
互いに異なる直径を有する第１ディスク及び第２ディスクのローディングが可能なようにローディング領域を形成するメインフレーム及びサブフレームと、
前記ローディング領域の外部で回動可能に設けられ、前記ディスクと干渉するように前記ローディング領域の内部に延在する第１ガイドレバーと、
前記ローディング領域の外部で回動可能に設けられ、前記ディスクと干渉するように前記ローディング領域の内部に延在する第２ガイドレバーと、
前記ローディング領域の外部で回動可能に設けられ、前記ディスクと干渉するように前記ローディング領域の内部に延在するトリガーレバーと、
前記ローディング領域に位置する前記第１ディスクまたは前記第２ディスクをチャッキングするチャッキングユニットと、
前記ローディング領域の外部で往復可能に設けられ、前記チャッキングユニットを動作させるスライダと、
前記トリガーレバーと前記スライダとの間に配置され、前記トリガーレバーの回転力を前記スライダに伝達するコネクティングユニットと、
を含み、
前記コネクティングユニットは、前記第１ディスクまたは前記第２ディスクがローディングされる場合、前記第２ガイドレバーと選択的に連動し、前記トリガーレバーの回転力が前記スライダに伝達されるタイミングを変化させることを特徴とするディスクローディング装置。
【請求項２】
前記コネクティングユニットは、回動運動可能に装着されて前記第２ガイドレバーと連動するコネクティングカムと、並進運動及び回動運動可能に装着されて前記コネクティングカム及び前記トリガーレバーと連動するコネクティングローダーと、を含むことを特徴とする、請求項１に記載のディスクローディング装置。
【請求項３】
前記コネクティングカムは、前記コネクティングローダーと連動するように第３連結溝を備え、
前記コネクティングローダーは、前記第３連結溝に挿入される第３連結突起を備えることを特徴とする、請求項２に記載のディスクローディング装置。
【請求項４】
前記コネクティングカムは、前記第２ガイドレバーと連動するように第４連結溝を備え、
前記第２ガイドレバーは、前記第４連結溝に挿入される第４連結突起を備えることを特徴とする、請求項２に記載のディスクローディング装置。
【請求項５】
前記コネクティングローダーは、前記トリガーレバーと連動するように第１拘束部及び第２拘束部を備え、
前記トリガーレバーは、前記第１拘束部及び第２拘束部に選択的に拘束される出力突起を備えることを特徴とする、請求項２に記載のディスクローディング装置。
【請求項６】
前記コネクティングカムが前記第２ガイドレバーと連動しない場合、前記出力突起は前記第１拘束部に拘束され、前記コネクティングカムが前記第２ガイドレバーと連動する場合、前記出力突起は前記第２拘束部に拘束されることを特徴とする、請求項５に記載のディスクローディング装置。
【請求項７】
前記スライダが移動することによって前記スライダと連動する間隔調整プレートをさらに含むことを特徴とする、請求項１に記載のディスクローディング装置。
【請求項８】
前記スライダは、前記間隔調整プレートと連動するように第３係止突起を備え、
前記間隔調整プレートは、前記第３係止突起と結合するように第４係止突起を備えることを特徴とする、請求項７に記載のディスクローディング装置。
【請求項９】
前記間隔調整プレートは、前記トリガーレバーを加圧する第２間隔調整突起を備えることを特徴とする、請求項７に記載のディスクローディング装置。
【請求項１０】
前記間隔調整プレートに選択的に連動して前記第１ガイドレバー及び前記第２ガイドレバーの回転を誘導し、前記第１ガイドレバー及び前記第２ガイドレバーを前記第２ディスクから離間させる連結プレートをさらに含むことを特徴とする、請求項７に記載のディスクローディング装置。
【請求項１１】
前記間隔調整プレートは、第１間隔調整突起を備え、
前記連結プレートは、前記第１ディスクがローディングされる場合に前記第１間隔調整突起が通過する貫通部と、前記前記第２ディスクがローディングされる場合に前記第１間隔調整突起と干渉する接触部と、を備えることを特徴とする、請求項１０に記載のディスクローディング装置。
【請求項１２】
前記連結プレートは前記第１ガイドレバーと連動し、前記第２ガイドレバーは第１ガイドレバーと連動することを特徴とする、請求項１１に記載のディスクローディング装置。
【請求項１３】
前記連結プレートは、前記第１ガイドレバーと連動するように第１連結突起を備え、
前記第１ガイドレバーは、前記第１連結突起を収容する第１連結溝を備えることを特徴とする、請求項１２に記載のディスクローディング装置。
【請求項１４】
前記第１ガイドレバーは、前記第２ガイドレバーと連動するように第１係止突起を備え、
前記第２ガイドレバーは、前記第１係止突起に支持される第２係止突起を備えることを特徴とする、請求項１２に記載のディスクローディング装置。
【請求項１５】
前記コネクティングローダーは、前記コネクティングローダーをいずれか一方向に回転させる弾性力を提供する補助突起部材を備えることを特徴とする、請求項２に記載のディスクローディング装置。
【請求項１６】
互いにリンクされ、ローディング領域の外部で回動可能に装着されるとともに前記ローディング領域の内部に延在する複数の第１ガイドレバーと、
互いにリンクされ、前記ローディング領域の外部で回動可能に装着されるとともに前記ローディング領域の内部に延在し、また、前記複数の第１ガイドレバーを拘束または拘束解除する複数の第２ガイドレバーと、
を含み、
前記第１ディスクが前記ローディング領域にローディングされる場合、前記第２ガイドレバーは前記第１ガイドレバーを拘束し、前記第１ガイドレバーによって前記第１ディスクのチャッキング位置が決定され、
前記第２ディスクが前記ローディング領域にローディングされる場合、前記第２ガイドレバーは前記第１ガイドレバーを拘束解除し、前記ローディング領域の外部に移動する前記第１ガイドレバー及び前記第２ガイドレバーによって前記第２ディスクのチャッキング位置が決定されることを特徴とする、請求項１に記載のディスクローディング装置。
【発明の詳細な説明】
【技術分野】
【０００１】
本発明は、ディスクローディング装置に係り、より詳細には、ディスクのローディングのためのトレイ無しで直接ディスクを挿入するディスクローディング装置に関する。
【背景技術】
【０００２】
ディスクプレーヤーは、ＣＤ（Compact Disk）、ＤＶＤ（Digital Versatile Disk）やＢＤ（Blue-ray Disc）などのようなディスクに光を照射して情報を記録したり、ディスクに記録されている情報を再生する装置であり、一般に、ディスクに情報を記録／再生するための位置にディスクをローディングするローディング装置を備える。
【０００３】
車両搭載用またはモバイル用のディスクプレーヤーでは、空間上の制約から、ディスクのローディングのためのトレイ無しで直接ディスクを挿入してローディングするようにしている。また、互いに異なる大きさのディスク、例えば、８０ｍｍと１２０ｍｍディスクを混用できるように、互いに異なる大きさのディスクを区別してローディングするためのローディング装置が適用されている。
【０００４】
ローディング装置は、互いに異なる大きさのディスクを区別してローディングするために、ディスクの上側にディスクの大きさを識別する機構部品を備えている。すなわち、ローディング装置は、ディスクの上側に複数のガイドレバー、スライダ、コネクターなどを備え、８０ｍｍと１２０ｍｍのディスクを区別してローディングする。このようなローディング装置は、益々小型化、スリム化しつつあるディスクプレーヤーに適用し難くなり、薄い厚さのローディング装置の開発が要求されている。
【発明の概要】
【発明が解決しようとする課題】
【０００５】
本発明の一側面は、ローディングメカニズムをなす機構部品をディスク外側の部分に配置することによって、小型化、スリム化したディスクローディング装置を提供する。
【課題を解決するための手段】
【０００６】
本発明の思想によるディスクローディング装置は、互いに異なる直径を有する第１ディスク及び第２ディスクのローディングが可能なようにローディング領域を形成するメインフレーム及びサブフレームと、
前記ローディング領域の外部で回動可能に設けられ、前記ディスクと干渉するように前記ローディング領域の内部に延在する第１ガイドレバーと、
前記ローディング領域の外部で回動可能に設けられ、前記ディスクと干渉するように前記ローディング領域の内部に延在する第２ガイドレバーと、
前記ローディング領域の外部で回動可能に設けられ、前記ディスクと干渉するように前記ローディング領域の内部に延在するトリガーレバーと、
前記ローディング領域に位置する前記第１ディスクまたは前記第２ディスクをチャッキングするチャッキングユニットと、
前記ローディング領域の外部で往復可能に設けられ、前記チャッキングユニットを動作させるスライダと、
前記トリガーレバーと前記スライダとの間に配置され、前記トリガーレバーの回転力を前記スライダに伝達するコネクティングユニットと、
を含み、
前記コネクティングユニットは、前記第１ディスクまたは前記第２ディスクがローディングされる場合、前記第２ガイドレバーと選択的に連動し、前記トリガーレバーの回転力が前記スライダに伝達されるタイミングを変化させることを特徴とする。
また、前記コネクティングユニットは、回動運動可能に装着されて前記第２ガイドレバーと連動するコネクティングカムと、並進運動及び回動運動可能に装着されて前記コネクティングカム及び前記トリガーレバーと連動するコネクティングローダーと、を含むことを特徴とする。
【０００７】
また、前記コネクティングカムは、前記コネクティングローダーと連動するように第３連結溝を備え、
前記コネクティングローダーは、前記第３連結溝に挿入される第３連結突起を備えることを特徴とする。
【０００８】
また、前記コネクティングカムは、前記第２ガイドレバーと連動するように第４連結溝を備え、
前記第２ガイドレバーは、前記第４連結溝に挿入される第４連結突起を備えることを特徴とする。
【０００９】
前記コネクティングローダーは、前記トリガーレバーと連動するように第１拘束部及び第２拘束部を備え、
前記トリガーレバーは、前記第１拘束部及び第２拘束部に選択的に拘束される出力突起を備えることを特徴とする。
【００１０】
また、前記コネクティングカムが前記第２ガイドレバーと連動しない場合、前記出力突起は前記第１拘束部に拘束され、前記コネクティングカムが前記第２ガイドレバーと連動する場合、前記出力突起は前記第２拘束部に拘束されることを特徴とする。
【００１１】
また、上記ディスクローディング装置は、前記スライダが移動することによって前記スライダと連動する間隔調整プレートをさらに含むことを特徴とする。
【００１２】
また、前記スライダは、前記間隔調整プレートと連動するように第３係止突起を備え、
前記間隔調整プレートは、前記第３係止突起と結合するように第４係止突起を備えることを特徴とする。
【００１３】
また、前記間隔調整プレートは、前記トリガーレバーを加圧する第２間隔調整突起を備えることを特徴とする。
【００１４】
また、上記ディスクローディング装置は、前記間隔調整プレートに選択的に連動して前記第１ガイドレバー及び前記第２ガイドレバーの回転を誘導し、前記第１ガイドレバー及び前記第２ガイドレバーを前記第２ディスクから離間させる連結プレートをさらに含むことを特徴とする。
【００１５】
また、前記間隔調整プレートは、第１間隔調整突起を備え、
前記連結プレートは、前記第１ディスクがローディングされる場合に前記第１間隔調整突起が通過する貫通部と、前記前記第２ディスクがローディングされる場合に前記第１間隔調整突起と干渉する接触部と、を備えることを特徴とする。
【００１６】
また、前記連結プレートは前記第１ガイドレバーと連動し、前記第２ガイドレバーは第１ガイドレバーと連動することを特徴とする。
【００１７】
また、前記連結プレートは、前記第１ガイドレバーと連動するように第１連結突起を備え、
前記第１ガイドレバーは、前記第１連結突起を収容する第１連結溝を備えることを特徴とする。
【００１８】
前記第１ガイドレバーは、前記第２ガイドレバーと連動するように第１係止突起を備え、
前記第２ガイドレバーは、前記第１係止突起に支持される第２係止突起を備えることを特徴とする。
【００１９】
また、前記コネクティングローダーは、前記コネクティングローダーをいずれか一方向に回転させる弾性力を提供する補助突起部材を備えることを特徴とする。
【００２０】
本発明の他の実施例によれば、ディスクローディング装置は、互いに異なる直径を有する第１ディスク及び第２ディスクがローディングされるローディング領域を形成するメインフレーム及びサブフレームと、
互いにリンクされ、前記ローディング領域の外部で回動可能に設けられるとともに前記ローディング領域の内部に延在する複数の第１ガイドレバーと、
互いにリンクされ、前記ローディング領域の外部で回動可能に設けられるとともに前記ローディング領域の内部に延在し、また、前記第１ガイドレバーを拘束または拘束解除する複数の第２ガイドレバーと、
を含み、
前記第１ディスクが前記ローディング領域にローディングされる場合、前記第２ガイドレバーは前記第１ガイドレバーを拘束し、前記第１ガイドレバーによって前記第１ディスクのチャッキング位置が決定され、
前記第２ディスクが前記ローディング領域にローディングされる場合、前記第２ガイドレバーは前記第１ガイドレバーを拘束解除し、前記ローディング領域の外部に移動する前記第１ガイドレバー及び前記第２ガイドレバーによって前記第２ディスクのチャッキング位置が決定されることを特徴とする。
【００２１】
また、本発明の実施例によれば、ディスクローディング装置は、互いに異なるサイズを有するディスクがローディングされるディスク配置領域を形成する下部フレーム及び上部フレームと、
互いに対向して設けられ、前記ディスクをディスク配置領域に案内する狭い一対の旋回レバーと、
互いに対向して設けられ、前記ディスクをディスク配置領域に案内する広い一対の旋回レバーと、
を含み、
前記上部フレームに装着される第１弾性部材は、前記一対の狭い旋回レバーに、相反する力を提供し、前記広い旋回レバーのいずれか一つに装着される第２弾性部材は、前記広い旋回レバーのいずれか一つに回転力を提供することを特徴とする。
【００２２】
また、本発明の実施例によれば、ディスクローディング装置は、ディスクローディング領域を形成する第１フレーム及び第２フレームと、
前記ローディング領域の第１ローディング領域で第１ディスクと接する一端を有するトリガーレバーと、
前記ローディング領域の第２ローディング領域で第２ディスクと接する一端をそれぞれ有する複数のレバーと、
を含み、
前記ローディング領域に第２ディスクがローディングされるとき、第２右側レバーの時計回り方向の回転が、第１右側レバー上の第１係止突起により制限され、前記ローディング領域に第１ディスクがローディングされるとき、第１右側レバーの反時計回り方向の回転が、第２右側レバー上のストッパーにより制限されることを特徴とする。
【００２３】
また、本発明の思想によるディスク駆動装置は、小径及び大径のディスクの前記ディスク駆動装置へのローディング及びアンローディングを制御するコントローラを含み、ここで、前記コントローラはさらに、ローディング及びアンローディングユニットが、小径及び大径のディスクをローディング領域に向かって前記ディスク駆動装置に進入させ、チャッキングユニットが、前記ローディング領域に位置している小径及び大径のディスクをチャッキングし、検出ユニットが、ディスク駆動装置内での小径及び大径のディスク配置を検出し、トリガーレバーがローディング領域の外部に回転可能に取り付けられるとともに前記ローディング領域まで延在し、また、第１ガイドレバーが、ローディング領域の外部に取り付けられるとともに前記ローディング領域まで延在し、小径及び大径のディスクをローディング領域に案内し、第２ガイドレバーが、ローディング領域の外部に取り付けられるとともに前記ローディング領域まで延在し、大径のディスクをローディング領域に案内するように制御することを特徴とする。
【発明の効果】
【００２４】
本発明の実施例によるディスクローディング装置は、厚さがかなり減少するため、約１インチ以下のサイズを有するディスクプレーヤーに適用することができる。
【００２５】
また、各レバーはそれぞれの単一回転軸を有するため、ディスクのローディング／アンローディングを円滑にすることができる。
【００２６】
また、コネクティングユニットは、第１ディスクまたは第２ディスクのローディング時に選択的に動作できるため、第１ディスクの動作が第２ディスクの動作と確実に区別されることができ、よって、ディスクローディング装置の動作信頼性を確保することができる。
【図面の簡単な説明】
【００２７】
【図１】本発明の実施例によるメインフレームに装着されるローディングメカニズムの構成を概略的に示す平面図である。
【図２】本発明の実施例によるサブフレームに装着されるローディングメカニズムの構成を概略的に示す平面図である。
【図３】本発明の実施例によるディスクローディング装置の概略側面図である。
【図４】本発明の実施例によるディスクローディング装置の概略側面図である。
【図５】本発明の実施例による第１ディスクのローディングを示す図である。
【図６】本発明の実施例による第１ディスクのローディングを示す図である。
【図７】本発明の実施例による第１ディスクのローディングを示す図である。
【図８】本発明の実施例による第１ディスクのローディングを示す図である。
【図９】本発明の実施例による第２ディスクのローディングを示す図である。
【図１０】本発明の実施例による第２ディスクのローディングを示す図である。
【図１１】本発明の実施例による第２ディスクのローディングを示す図である。
【図１２】本発明の実施例による第２ディスクのローディングを示す図である。
【図１３】本発明の実施例を含むディスク駆動装置を示す図である。
【発明を実施するための形態】
【００２８】
以下、本発明の実施例によるディスクローディング装置について、添付の図面を参照しつつ詳細に説明する。
【００２９】
図１は、本発明の実施例によるメインフレームに装着されるローディングメカニズムの構成を概略的に示す平面図であり、図２は、本発明の実施例によるサブフレームに装着されるローディングメカニズムの構成を概略的に示す平面図であり、図３及び図４は、本発明の実施例によるディスクローディング装置の側面を概略的に示す図である。以下では、説明の便宜のために、ディスクがローディング／アンローディングする方向をＸ方向、Ｘ方向と垂直な方向をＹ方向とする。Ｘ方向は、ディスクがローディングされる方向をＸ１方向、Ｘ１方向と反対の方向をＸ２方向とし、Ｙ方向は、Ｙ１方向、Ｙ１方向と反対の方向のＹ２方向を含む。
【００３０】
図１〜図４に示すように、本発明の実施例によるディスクローディング装置は、メインフレーム１０と、メインフレーム１０と結合して空間を形成するサブフレーム１００と、を備える。メインフレーム１０及びサブフレーム１００が形成する内部空間には、ディスクをローディングさせるためにローディングメカニズムを構成する各種部品が装着される。
【００３１】
また、ローディングメカニズムは、互いに異なる直径を有する第１ディスク１と第２ディスク２を区別してローディングする。ここで、第１ディスク１は、小径（例えば、８０ｍｍ）とし、第２ディスク２は、大径（例えば、１２０ｍｍ）とするが、第１ディスク１と第２ディスク２を区別する必要がない場合はディスクと総称して説明する。
【００３２】
メインフレーム１０には、ディスクを内部に進入させるローディングモーター１３、搬送ローラ１２、ギアユニット２０が装着される。ディスク挿入口１１の近傍には、ディスクを感知できるスイッチ、光センサーなどが取り付けられる。
【００３３】
ローディングモーター１３は、スイッチ、光センサーなどによってディスクが感知される場合、電気的な信号を受信してディスクを駆動する。
【００３４】
搬送ローラ１２は、ディスクとの摩擦力を用いてディスクを移動させる。搬送ローラ１２の外面は、摩擦力を有するゴム材質で形成されることが好ましい。搬送ローラ１２は、ディスク挿入口１１の近くで回転可能に支持される。
【００３５】
ギアユニット２０は、ローディングモーター１３の動力を搬送ローラ１２に伝達する。ギアユニット２０は、ベルト２１及びプーリ２２を用いてローディングモーター１３と連結され、中継ギア群２３を用いて搬送ローラ１２と連結される。その他にも、ギアユニット２０は、ウォームギア２４、中継ギア群２３を備えて動力を伝達し、減速比を調節する。特に、中継ギア群２３のうちのいずれか一つは、スライダ３０のラック３１と噛み合ってスライダ３０を移動させる。これについては後述する。
【００３６】
このように、ローディングモーター１３、搬送ローラ１２、ギアユニット２０はメインフレーム１０に装着され、ディスクをディスクローディング装置の内部に進入させる機能を果たす。この時、サブフレーム１００に装着されるディスクガイドメカニズムにより、ディスクはディスクローディング装置の内部でチャッキング位置に案内される。
【００３７】
サブフレーム１００には、第１ディスク１を第１ローディング領域１ａに案内し、第２ディスク２を第２ローディング領域２ａに案内する、複数の第１ガイドレバー１１０ａ，１１０ｂ、複数の第２ガイドレバー１２０ａ，１２０ｂが装着される。
【００３８】
第１ガイドレバー１１０ａ，１１０ｂは、第２ローディング領域２ａの外部でサブフレーム１００に回動可能に装着され、第２ローディング領域２ａの内部に延在する。すなわち、複数の第１ガイドレバー１１０ａ，１１０ｂのそれぞれは、その一端に設けられる第１回動軸１１１が第２ローディング領域２ａの外部に位置し、その他端に設けられる第１ガイド突起１１２が第１ローディング領域１ａと第２ローディング領域２ａとの境界線付近に位置する。第１ガイドレバー１１０ａ，１１０ｂは、ディスクローディング装置の内部にローディングされる第１ディスク１、第２ディスク２と干渉する。
【００３９】
また、第１ガイドレバー１１０ａ，１１０ｂは互いにリンクされているため、共に回動する。第１ガイドレバー１１０ａ，１１０ｂは互いに連結プレート１３０によって結合されるもので、連結プレート１３０の第１連結突起１３２が第１ガイドレバー１１０ａ，１１０ｂの第１連結溝１１３に挿入される形態で結合される。ここで、右側第１ガイドレバー１１０ａの第１連結溝１１３と左側第１ガイドレバー１１０ｂの第１連結溝１１３は互いに反対方向に配置され、第１連結溝１１３と対応する第１連結突起１３２も互いに反対方向に配置される。
【００４０】
連結プレート１３０は、サブフレーム１００にＹ方向に往復運動可能に取り付けられ、第１バネ１３１によってＹ２方向に弾持される。これにより、左側第１ガイドレバー１１０ｂは、第１回動軸１１１を基準に反時計回り方向に回転する力を受け、右側第１ガイドレバー１１０ａは、第１回動軸１１１を基準に時計回り方向に回転する力を受ける。ただし、左側第１ガイドレバー１１０ｂの第１ガイド突起１１２と右側第１ガイドレバー１１０ａの第１ガイド突起１１２が第１ローディング領域１ａに進入しないように右側第１ガイドレバー１１０ａの回動を制限する第１ストッパー１１５が、サブフレーム１００に設けられる。第１ストッパー１１５によって右側第１ガイドレバー１１０ａとリンクされている左側第１ガイドレバー１１０ｂも回動が制限される。
【００４１】
連結プレート１３０の一側には、サブフレーム１００にＸ方向に往復運動可能に取り付けられる間隔調整プレート１４０が設けられる。間隔調整プレート１４０は、スライダ３０、トリガーレバー４０、連結プレート１３０と連動するが、これについては後述する。
【００４２】
第２ガイドレバー１２０ａ，１２０ｂは、第２ローディング領域２ａの外部でサブフレーム１００に回動可能に装着され、第２ローディング領域２ａの内部に延在する。すなわち、第２ガイドレバー１２０ａ，１２０ｂのそれぞれは、一端に設けられる第２回動軸１２１が第２ローディング領域２ａの外部に位置し、他端に設けられる第２ガイド突起１２２が第２ローディング領域２ａの内部に位置する。左側第２ガイドレバー１２０ｂの第２回動軸１２１には第２バネ１２８が取り付けられ、左側第２ガイドレバー１２０ｂを反時計回り方向に回転させる力を提供し、右側第２ガイドレバー１２０ａを時計回り方向に回転させる力を提供する。ここで、右側第２ガイドレバー１２０ａは、右側第２ガイドレバー１２０ａの第２ストッパー１２５が右側第１ガイドレバー１１０ａの第１係止突起１１４によって係合されているので、回動が制限される。第２ガイドレバー１２０ａ，１２０ｂは、ディスクローディング装置の内部にローディングされる第２ディスク２と干渉を起こす。
【００４３】
また、第２ガイドレバー１２０ａ，１２０ｂは互いにリンクされており、共に回動する。右側第２ガイドレバー１２０ａの第２連結突起１２４が左側第２ガイドレバー１２０ｂの第２連結溝１２３に挿入される形態で結合される。したがって、右側第２ガイドレバー１２０ａが時計回り方向に回動する場合、左側第２ガイドレバー１２０ｂは反時計回り方向に回動する。
【００４４】
一方、右側第１ガイドレバー１１０ａには、第１係止突起１１４が設けられ、右側第２ガイドレバー１２０ａには、第２ストッパー１２５と第２係止突起１２６が設けられる。第１係止突起１１４が第２ストッパー１２５によって拘束される場合、右側第１ガイドレバー１１０ａは反時計回り方向への回動が制限され、第１係止突起１１４が第２ストッパー１２５から拘束解除されると、右側第１ガイドレバー１１０ａは反時計回り方向に回動可能になる。このように第１ガイドレバー１１０ａ，１１０ｂは、第２ガイドレバー１２０ａ，１２０ｂによって拘束されたり、拘束解除されたりするが、これについては動作と関連して詳細に後述する。
【００４５】
メインフレーム１０には、ディスクが挿入される場合、スライダ３０をＸ２方向に所定距離移動させうるトリガーレバー４０、コネクティングユニット５０が装着される。
【００４６】
トリガーレバー４０は、第２ローディング領域２ａの外部で回動可能に装着される。トリガーレバー４０は、第３回動軸４１と、第３回動軸４１からそれぞれ延在する入力アーム４２及び出力アーム４３を備える。第３回動軸４１と出力アーム４３は、第２ローディング領域２ａの外部に位置し、入力アーム４２は、第２ローディング領域２ａの内部に位置する。入力アーム４２は、第１ディスク１、第２ディスク２と干渉する入力突起４２ａを備え、出力アーム４３は、コネクティングユニット５０に拘束される出力突起４３ａを備える。
【００４７】
コネクティングユニット５０は、第３回動軸４１に回動運動可能に装着されるコネクティングカム５１と、トリガーレバー４０の出力アーム４３とスライダ３０の支持部３２との間で並進運動及び回動運動可能に装着されるコネクティングローダー５２とを備える。ここで、コネクティングカム５１とコネクティングローダー５２は互いにリンクされている。すなわち、コネクティングカム５１の第３連結溝５３にコネクティングローダー５２の第３連結突起５４が挿入される形態となっている。
【００４８】
コネクティングローダー５２は、メインフレーム１０で並進運動及び回動運動可能に支持される。すなわち、コネクティングローダー５２の第３連結突起５４がメインフレーム１０のコネクティング溝５６に挿入される構造となっている。また、コネクティングローダー５２は補助突起部材５７を備え、この補助突起部材５７は、弾性変形された状態でコネクティング溝５６に挿入されるから、コネクティングローダー５２を反時計回り方向に回転させる力を提供する。また、補助突起部材５７は、弾性変形が可能なため、トリガーレバー４０がコネクティングローダー５２を時計回り方向に加圧する場合、コネクティングローダー５２は第３連結突起５４を中心に時計回り方向に回転することも可能である。なお、第３連結突起５４と補助突起部材５７は長孔で形成されるコネクティング溝５６に挿入され、Ｙ方向への並進運動も可能である。
【００４９】
また、コネクティングローダー５２は、トリガーレバー４０の出力突起４３ａを選択的に拘束する第１拘束部５８及び第２拘束部５９を備える。コネクティングローダー５２は、並進運動をすることによって第１拘束部５８、第２拘束部５９に選択的に出力突起４３ａが拘束されるが、これについては詳細に後述する。
【００５０】
メインフレーム１０には、Ｘ方向に往復運動可能にスライダ３０が設けられる。スライダ３０は、第３バネ３３によってＸ１方向に弾持されるもので、スライダ３０のラック３１がギアユニット２０の中継ギア２３と噛み合うとＸ２方向に移動する。ただし、ディスクがローディングされていない場合、スライダ３０は第３バネ３３によって弾持されているため、図３及び図４に示すように、スライダ３０のラック３１とギアユニット２０の中継ギア２３とは噛み合っていない。そこで、図６に示すように、スライダ３０のラック３１とギアユニット２０の中継ギア２３とを噛み合わせるためには、スライダ３０をＸ２方向に所定距離移動させなければならない。そのために、スライダ３０をトリガーレバー４０、コネクティングユニット５０と連動して所定距離移動させる。これについて、ディスクローディング装置の動作を示す図面を参照して詳細に説明する。
【００５１】
図５〜図８は、本発明の実施例による第１ディスクのローディングを示す図である。
【００５２】
図５〜図８に示すように、第１ディスク１がローディングされる場合、第１ディスク１は、第１ガイド突起１１２と干渉する。右側第１ガイドレバー１１０ａは、反時計回り方向に回転しようとする力を受け、左側第１ガイドレバー１１０ｂは、時計回り方向に回転しようとする力を受ける。しかし、第１係止突起１１４が第２ストッパー１２５に拘束されているため、右側第１ガイドレバー１１０ａは反時計回り方向に回転できず、左側第１ガイドレバー１１０ｂは右側第１ガイドレバー１１０ａとリンクされているため、時計回り方向に回転できない。第１ディスク１は、右側第１ガイドレバー１１０ａの第１ガイド突起１１２と左側第１ガイドレバー１１０ｂの第１ガイド突起１１２によってチャッキング位置が決定される。
【００５３】
また、第１ディスク１は、入力突起４２ａと干渉する。トリガーレバー４０は、反時計回り方向に回転する。すなわち、入力アーム４２、出力アーム４３が反時計回り方向に回転する。出力アーム４３が反時計回り方向に回転すると、出力突起４３ａがコネクティングローダー５２の第１拘束部５８に拘束され、出力突起４３ａが第１拘束部５８に拘束された状態でトリガーレバー４０が継続して反時計回り方向に回転する場合、コネクティングローダー５２は第３連結突起５４を中心に回転する。この時、コネクティングローダー５２の回転量だけスライダ３０が所定距離移動する。スライダ３０が所定距離移動することによってスライダ３０のラック３１がギアユニット２０の中継ギア２３と噛み合い、スライダ３０はＸ２方向に移動する。
【００５４】
スライダ３０は、チャッキングユニット６０、間隔調整プレート１４０と連動する。
【００５５】
スライダ３０は、第１スリット３４及び第２スリット３５を備え、チャッキングユニット６０は、第１スリット３４及び第２スリット３５のそれぞれに挿入される第１チャッキング突起６１及び第２チャッキング突起６２を備える。第１スリット３４及び第２スリット３５は傾斜面を含んでおり、スライダ３０がＸ２方向に移動する場合、第１チャッキング突起６１と第２チャッキング突起６２は下側方向に移動する。これにより、チャッキングユニット６０のクランプ（図示せず）は、下側方向に移動してディスクをチャッキングする。この時、第１ディスク１は下側方向に移動するが、第１ガイド突起１１２には段差部１１２ａが形成されているため、第１ディスク１は第１ガイド突起１１２と離間する。
【００５６】
また、スライダ３０は第３係止突起３６を備え、間隔調整プレート１４０は、第３係止突起３６と結合する第４係止突起１４３を備える。スライダ３０がＸ２方向に移動すると、第３係止突起３６及び第４係止突起１４３とが結合するため、間隔調整プレート１４０もＸ２方向に移動する。
【００５７】
間隔調整プレート１４０は、連結プレート１３０及びトリガーレバー４０と連動する。
【００５８】
間隔調整プレート１４０は、第１間隔調整突起１４１を備え、連結プレート１３０は、第１間隔調整突起１４１が通過する貫通部１３３、及び第１間隔調整突起１４１と干渉する接触部１３４を備える。間隔調整プレート１４０がＸ２方向に移動することによって第１間隔調整突起１４１は貫通部１３３を通過し、接触部１３４とは干渉しない。したがって、間隔調整プレート１４０は連結プレート１３０と連動しない。
【００５９】
間隔調整プレート１４０は第２間隔調整突起１４２を備え、間隔調整プレート１４０がＸ２方向に移動することによって第２間隔調整突起１４２はトリガーレバー４０の出力アーム４３に引っかかる。すなわち、第２間隔調整突起１４２はトリガーレバー４０の出力アーム４３を加圧することによって入力アーム４２が反時計回り方向に回動し、入力突起４２ａは第１ディスク１から離間する。
【００６０】
その結果、第１ディスク１は第１ガイド突起１１２から離間し、入力突起４２ａから離間して、回転可能な状態に置かれることとなる。
【００６１】
図９〜図１２は、本発明の実施例による第２ディスクのローディングを示す図である。
【００６２】
図９〜図１２に示すように、第２ディスク２がローディングされる場合、第２ディスク２は第２ガイド突起１２２、第１ガイド突起１１２と干渉する。
【００６３】
第２ディスク２が第２ガイド突起１２２と干渉する場合、右側第２ガイドレバー１２０ａは反時計回り方向に回転し、これとリンクされている左側第２ガイドレバー１２０ｂは時計回り方向に回転する。この時、第１係止突起１１４は、第２ストッパー１２５から拘束解除され、第２係止突起１２６に支持される。続いて第２ディスク２がローディングされながら第１ガイド突起１１２と干渉する場合、右側第１ガイドレバー１１０ａは反時計回り方向に回転し、左側第１ガイドレバー１１０ｂは時計回り方向に回転する。その結果、第１ガイドレバー１１０ａ，１１０ｂの第１ガイド突起１１２と第２ガイドレバー１２０ａ，１２０ｂの第２ガイド突起１２２は、第２ローディング領域２ａの外部に移動し、第２ディスク２は、第１ガイドレバー１１０ａ，１１０ｂの第１ガイド突起１１２、及び第２ガイドレバー１２０ａ，１２０ｂの第２ガイド突起１２２によってチャッキング位置が決定される。
【００６４】
第２ディスク２がローディングされることによって左側第２ガイドレバー１２０ｂは時計回り方向に回転する。この時、左側第２ガイドレバー１２０ｂの第４連結突起１２７は、コネクティングカム５１の第４連結溝５５に挿入されているため、左側第２ガイドレバー１２０ｂが時計回り方向に回転することによってコネクティングカム５１は反時計回り方向に回転する。コネクティングカム５１が反時計回り方向に回転すると、コネクティングローダー５２はＹ１方向に移動する。
【００６５】
また、第２ディスク２は入力突起４２ａと干渉し、入力アーム４２と出力アーム４３は反時計回り方向に回転する。出力アーム４３が反時計回り方向に回転すると、出力突起４３ａは、コネクティングローダー５２の第２拘束部５９に拘束される。上述したように、コネクティングカム５１が左側第２ガイドレバー１２０ｂと連動して反時計回り方向に回転することによって、コネクティングカム５１とリンクされているコネクティングローダー５２がＹ１方向に移動するため、出力突起４３ａは第１拘束部５８に拘束されずに第２拘束部５９に拘束される。このように出力突起４３ａが第１拘束部５８に拘束されないまま第２拘束部５９に拘束されるまで所定時間空回転をするようになる。このような動作を用いてコネクティングユニット５０は、トリガーレバー４０の回転力がスライダ３０に伝達されるタイミングを変化させることができる。すなわち、第１ディスク１が第１ローディング領域１ａにローディングされる時間と第２ディスク２が第２ローディング領域２ａにローディングされる時間とが異なるため、第１ディスク１が第１ローディング領域１ａにローディング完了したり、第２ディスク２が第２ローディング領域２ａにローディング完了する場合、スライダ３０を動作させるためにコネクティングユニット５０が第２ガイドレバー１２０ｂと連動してタイミングを調整するわけである。
【００６６】
次いで、出力突起４３ａが第２拘束部５９に拘束された状態でトリガーレバー４０が継続して反時計回り方向に回転する場合、コネクティングローダー５２は第３連結突起５４を中心に回転し、コネクティングローダー５２の回転量だけスライダ３０が所定距離移動する。スライダ３０が所定距離移動することによって、スライダ３０のラック３１がギアユニット２０の中継ギア２３と噛み合い、スライダ３０はＸ２方向に移動する。
【００６７】
スライダ３０は、チャッキングユニット６０、間隔調整プレート１４０と連動し、これは第１ディスク１で説明した通りである。
【００６８】
すなわち、スライダ３０は、第１スリット３４及び第２スリット３５を備え、チャッキングユニット６０は、第１スリット３４及び第２スリット３５のそれぞれに挿入される第１チャッキング突起６１及び第２チャッキング突起６２を備える。第１スリット３４及び第２スリット３５は傾斜面を有しており、スライダ３０がＸ２方向に移動すると、第１チャッキング突起６１と第２チャッキング突起６２は下側方向に移動する。これにより、チャッキングユニット６０のクランプ（図示せず）は下側方向に移動し、ディスクをチャッキングする。
【００６９】
また、スライダ３０は第３係止突起３６を備え、間隔調整プレート１４０は第３係止突起３６と結合する第４係止突起１４３を備える。スライダ３０がＸ２方向に移動する場合、第３係止突起３６と第４係止突起１４３は互いに結合するので、間隔調整プレート１４０もＸ２方向に移動する。
【００７０】
間隔調整プレート１４０は連結プレート１３０及びトリガーレバー４０と連動する。
【００７１】
第２ディスク２がローディングされることによって第１ガイドレバー１１０ａ，１１０ｂは第２ローディング領域２ａ外部に移動し、第１ガイドレバー１１０ａ，１１０ｂとリンクされている連結プレート１３０はＹ１方向に移動する。また、第１ガイドレバー１１０ａ，１１０ｂの第１係止突起１１４は第２ガイドレバー１２０ａ，１２０ｂの第２ストッパー１２５から拘束解除され、第２ガイドレバー１２０ａ，１２０ｂの第２係止突起１２６を支持している。
【００７２】
この状態で間隔調整プレート１４０がＸ２方向に移動する場合、第１間隔調整突起１４１は接触部１３４と干渉するようになる。ここで、第１間隔調整突起１４１と接触部１３４は傾斜面が形成されているため、間隔調整プレート１４０が継続してＸ２方向に移動すると、第１間隔調整突起１４１が接触部１３４を押し、連結プレート１３０はＹ１方向に移動する。連結プレート１３０がＹ１方向に移動することによって右側第１ガイドレバー１１０ａは反時計回り方向に回動する。これと同時に第１係止突起１１４は第２係止突起１２６を支持しているため、右側第２ガイドレバー１２０ａも反時計回り方向に回動する。なお、右側第１ガイドレバー１１０ａとリンクされている左側第１ガイドレバー１１０ｂは時計回り方向に回動し、右側第２ガイドレバー１２０ａとリンクされている左側第１ガイドレバー１１０ｂも時計回り方向に回動する。したがって、第１ガイドレバー１１０ａ，１１０ｂの第１ガイド突起１１２と第２ガイド突起１２０ａ，１２０ｂの第２ガイド突起１２２は、第２ディスク２から離間する。
【００７３】
また、間隔調整プレート１４０は第２間隔調整突起１４２を備え、間隔調整プレート１４０がＸ２方向に移動することによって第２間隔調整突起１４２はトリガーレバー４０の出力アーム４３を加圧する。これにより、入力アーム４２は反時計回り方向に回動し、入力突起４２ａは第１ディスク１から離間する。
【００７４】
その結果、第１ディスク２は、第１ガイド突起１１２及び第２ガイド突起１２２から離間し、入力突起４２ａから離間して、回転可能な状態に置かれることとなる。
【００７５】
図１３は、本発明の他の実施例によるディスク駆動装置を示す図で、コントローラ１０００がディスクの該ディスク駆動装置へのローディング及びアンローディングを制御する。
ディスクローディング及びアンローディングユニット１０７０は、小径及び大径のディスクをローディング領域に進入させ、チャッキングユニット１０６０はそれらディスクをローディング領域でチャッキングする。
【００７６】
なお、検出ユニット１１００，１２００及び１３００が装着され、ディスクが該駆動装置内に置かれたか否かを検出する。
【００７７】
また、トリガーレバー１４００がローディング領域の外部に回転可能に取り付けられ、また、第１レバー１１００ａ，１１１０ｂ及び第２レバー１１２０ａ，１１２０ｂもローディング領域の外部に取り付けられ、ディスクのローディング領域へのローディングを助ける。
【００７８】
さらに、コントローラ１０００は、入力ユニット１０４０からユーザ入力を受信することができ、この入力ユニットは、ディスク取出し、ディスク再生、ディスク正転、ディスク逆転、ディスク一時中止及びディスク停止の命令を受信することができる。
【００７９】
なお、コントローラ１０００により制御される処理ユニット１０２０は、オーディオユニット１０３０及び表示ユニット１０１０より発されるオーディオ及び映像信号を処理することができる。
【符号の説明】
【００８０】
１        第１ディスク
２        第２ディスク
１ａ      第１ローディング領域
２ａ      第２ローディング領域
１０      メインフレーム
３０      スライダ
４０      トリガーレバー
５０      コネクティングユニット
１００    サブフレーム
１１０    第１ガイドレバー
１２０    第２ガイドレバー
【図１】
2010157309.tif 000003
【図２】
2010157309.tif 000004
【図３】
2010157309.tif 000005
【図４】
2010157309.tif 000006
【図５】
2010157309.tif 000007
【図６】
2010157309.tif 000008
【図７】
2010157309.tif 000009
【図８】
2010157309.tif 000010
【図９】
2010157309.tif 000011
【図１０】
2010157309.tif 000012
【図１１】
2010157309.tif 000013
【図１２】
2010157309.tif 000014
【図１３】
2010157309.tif 000015